(57)【要約】【課題】木材を素材とした排水口の無い植木鉢の給水において、水分の給水時期と給水量が把握できて水溜りがおきないようにする。【解決手段】自然木を素材として、両木口の片面に溝をつくり、かかる溝に発光物体を挿入した木塊から、くりぬき部、および拡大くりぬき部を作成する。この溝部は、木材内の水分により閉じたり開いたりするため、そのくりぬき部の状態、色を観察することにより、木材内の水分の給水時期を把握することが出来て、過分なる給水も木材が吸水することにより、給水量も把握できて、排水口が無くても、水溜りを起こさないようなる。【選択図】  図３
2008220190.tif 000002
【特許請求の範囲】
【請求項１】
自然木における木口上面に乾燥させながら溝を作成した木塊から、底辺を残し、くりぬき部を作成し、溝部とくりぬき部以外の周囲を樹脂加工する。かかる植木鉢は、過分なる水分を与えると溝を閉じ、栽培用土と木材内の水分が消費されると木材は乾燥し、溝割れが再現される。この溝割れを観察することにより、木材内の水分を把握することが可能となり、排水口がなくても水溜りを起こさない室内観賞用植木鉢。
【請求項２】
請求項１記載の植木鉢において、溝内部に発光物体を挿入せしめる。かかる植木鉢は、溝割れが再現された際、発光物体が露出され、太陽光．蛍光を介して発光しているように見える。この光を観察することにより、木材内の水分を把握することが可能となり、排水口がなくても水溜りを起こさない室内観賞用植木鉢。
【請求項３】
請求項１記載の植木鉢において、くりぬき部の底辺に、拡大部を作成し、あらゆる樹種についても導管あるいは仮導管を介して水分移動が可能となり、木材内に水分があると、溝が閉じ、木材内の水分が減少すると、溝が開き、この溝または、発光色を観察することにより、木材内の水分を把握することが可能となり、排水口がなくても水溜りを起こさない室内観賞用植木鉢。
【発明の詳細な説明】
【技術分野】
【０００１】
本発明は、自然木を植木鉢に利用し、植物鑑賞をする木製植木鉢に関する技術分野である。
【背景技術】
【０００２】
従来の植物鑑賞をする植木鉢には、自然木を素材にして中をくりぬき、そこへ栽培用土を充填し、植物を生育させているものがある。
【特許文献１】特開H１１―１０３６８８  また本出願人が本出願に先立ち出願している先行技術もある。
【特許文献２】特開２００４−１８７６５９またすでに本出願人が植木鉢として特許取得した周囲を樹脂加工して、自然木を素材にして中をくりぬき、そこへ栽培用土を充填し、木材の水分のみで植物を生育させているものがある。
【特許文献３】特許第３６２４２０８号
【発明の開示】
【発明が解決しようとする課題】
【０００３】
特許第３６２４２０８号による植木鉢は、水を給水することなく植物を栽培可能とするものの、栽培できる植物種類が限定されている。そこで木製植木鉢の特徴を生かした形態で、さまざまな植物栽培を楽しみたいものである。しかしながら、排水口を設けず、水を給水することは、素材が不透明な素材である場合、大変困難なことである。というのは、くりぬき部すなわち栽培用土への水分給水量と給水時期を知る事が困難であるためである。すなわち木材と栽培用土の吸収出来る水分量以上の水分供給は、くりぬき部に水溜りを生じる原因となるし、給水時期が遅れた水分供給は、当然植物にとって水分不足となり枯渇することになる。
そこで、排水口の無い木製植木鉢において、水分給水量と給水時期が簡単に分かり、水溜りを起こすことなく、栽培用土の水分が把握出来るような課題を解決しようとするものである。
【課題を解決するための手段】
【０００４】
本発明は、自然木における木口上面に溝を作成させた木塊から、底辺を残し、くりぬき部を作成し、溝部とくりぬき部以外を樹脂加工して外気と遮断して、木材中の水分が外へ逃げないようにする。
【０００５】
本発明は、自然木を材料として木塊をつくり、この木塊の上面に溝を作成させ、この溝内部に発光物体を挿入しておき、溝のある木口面からくりぬき部を底辺残し作成する
【０００６】
本発明は、かかる植木鉢のくりぬき部の底辺において、植木鉢としての強度を保つことができる厚みを残し、樹皮に向かって拡大くりぬき部を作成する。
【発明の効果】
【０００７】
本発明は、自然木を材料として木塊をつくり、この木塊の木口上面に溝を生じさせておき、木塊の周囲を樹脂加工し、外部と遮断させ、溝を作成した木口上面からくりぬき部を底辺残し作成されているため、かかるくりぬき部に栽培用土を充填し、過分なる水分を与えると、その過分なる水分は、木材中に吸収される。木材中の水分が多くなると、植木鉢は膨張して溝が開いている場合には溝を閉じる現象が起きる。やがて植物栽培をしていくと水分が消費され、栽培用土と木材中の水分が減少する。木材植木鉢は乾燥して収縮して、ひび割れ現象を起こすことになるが、すでに溝を作成させているため、溝が開き、木材の乾燥に対し、敏感に反応して同じ箇所に溝割れ現象を生じることになる。
【０００８】
本発明は、自然木を材料として木塊をつくり、この木塊の上面に溝を生じさせておき、この溝内部に発光物体が挿入されているため、木材中の水分が減少すると、すでに溝部を作成しているため、溝部が簡単に開き、発光物体が表面にでて露出することになる。このことは太陽光、蛍光灯を介して、溝部に注入していた発光物体が光ってみえることになり，割れ目内の色が識別易くなり、容易に栽培用土の水分の給水時期を把握することが出来るようになる。
【０００９】
本発明は、太陽光、蛍光灯を介して、溝部に注入していた発光物体が光ってみえると、くりぬき部に水が溜まるまで過分な水分補給する。すると木製植木鉢が乾燥状態のため、過分なる水分を吸収して膨張し、溝部を閉じて発光現象を起こさなくなる。またこの過分なる水分補給は、やがてくりぬき部へと移動するため、水もちのよい植木鉢となる。このようにして溝部の光を観察する事により給水量が把握できて、排水口が無くてもくりぬき部の底に水溜りを起こさないようになる。
【００１０】
本発明は、自然木を材料として木塊をつくり、底辺を残しくりぬき部が作成され、さらに樹皮に向かって強度を保つことができる辺材部の厚みを残し、底辺において拡大くりぬき部を作成されているため、底辺に溜まった水分は、水分の通水が困難な雑木類において、導管を介しての通水が可能となり、木材中の水分により溝部が閉じたり，開いたりする際、その溝を観察することにより、容易に栽培用土の水分を把握することが出来るようになる。
【発明を実施するための最良の形態】
【００１１】
発明を実施するための最良の形態を説明する前に、木材の本件に関係する呼称を説明する．自然木はさまざまな形状の木塊に加工することができるが、輪切りの木塊にした場合で説明すると、年輪が丸く見える断面を木口という。年輪の中心を樹心といい、樹心に近い
色の部分が心材であり、周辺の薄色の部分を辺材という。辺材の外まわりには樹皮がある。立体的構造の中での方向の呼び方については、幹の中心線を樹軸といい、樹軸に並行な方向を軸方向という。この軸方向に垂直な面のうち、樹心を通る直線の方向を放射方向といい、樹心を通らず放射方向に垂直な方向を接線方向と呼んでいる。
針葉樹における、樹液が移動するための組織的な構成要素を説明すると、軸方向には、仮道管があり、樹種によっては放射方向にも放射仮道管がある。仮道管とは針葉樹の主要な構成要素であり、広葉樹における道管と同様に水分の通道を受け持つ。
一般に針葉樹、広葉樹の木材内の水分は、仮道管、および道管を介して、軸方向に移動し、木口から大気へ水蒸気となり排出されるが、松科に属する樹種には、樹軸方向の仮道管以外に放射方向へも放射仮道管があり、更に樹軸方向の垂直樹脂道と放射方向の水平樹脂道も存在する。そのため軸方向の両木口ばかりでなく、放射方向の軸心から側面方向に向けても水分が移行できる特殊な樹種である。
【００１２】
添付図面は、本発明の樹水鉢について図示するものである。図面に基づき本発明を実施するための最良の形態について詳細に説明する。
【００１３】
本発明は、自然木から木塊１をつくり、木塊の片面木口を刃物等によりキズを入れた後、乾燥させることにより、両面の木口面のうち片方のみ溝を生じさせる図１、２。この乾燥には自然乾燥と人工乾燥の両方を試みた。自然乾燥では季節により差が生じ、一定のものは作りがたいと思われる。人工乾燥は温度と、時間の調整が必要であるが、一般的には高温ではヒビが大きく，低温では小さくなるといわれているため、製材所の中間温度設定乾燥機を使用して作成した。
ここで刃物のキズとヒビの関係について触れておく。木材は生木においては木材のヒビはありえない。乾燥するしたがってヒビは木口面より発生するが、刃物等においてヒビの入る任意の場所にキズをいれておくとそのキズを優先して溝ができる。さらに乾燥すると他の場所にヒビがはいる。
また、刃物等による溝の入れ方については、深さ、長さ、形状、数量いろいろ試みた。
深さについては、乾燥度合いによるところが多く、木口表面とくりぬき部の中間までの深さが望ましい。長さ、形状については、樹軸から樹皮にむかって直線状のものが簡単でよく、樹皮と辺材の境に近くまで達するのが望ましい。樹皮にまで達すると水漏れを起こすことになる。
【００１４】
本発明は、かかる溝３を生じさせた木塊１において、溝面を上面として、この面よりくりぬき部２を作成する。またくりぬき部と溝の作成順序については、特にこだわらない。
【００１５】
本発明は、かかる溝を生じさせた木塊１において、溝面を上面として、この面よりくりぬき部２を作成し、溝部３に発光物体を挿入する。
【００１６】
ここでいう発光物体として実験した蓄光物体と蛍光物体、反射物体について説明する。蓄光物体とは太陽光や蛍光灯などの光エネルギーとくに紫外線を吸収して、暗闇で 徐々に光を放出する物体の事であり、蛍光物体とは、X線や紫外線、可視光線が照射されてそのエネルギーを吸収することで 電子が励起し、それが基底状態に戻る際に余分なエネルギーを電磁波として放出するものである。反射物体とは、再帰反射において、反射メカニズムを変えることにより、どんなに歪んだ曲面で あっても入射してきた方向に光を反射させる物体をいう。
【００１７】
本発明は、発光物体として蓄光塗料、蛍光塗料、反射塗料を使用して実験を繰り返した。全塗料とも複数の市販されているものを使用した。塗料のメーカーにより光りの強さ、発光時間が異なるようである。蓄光塗料は夜光塗料として販売されているようであるが、夜光塗料は蓄光塗料と同意味と解釈している。反射塗料としては、当地区のペンキ店から仕入れて実験した。
【００１８】
本発明は、発光物体として蓄光塗料、蛍光塗料、反射塗料を使用して実験したが、よく光る発光物体は蓄光塗料であった。この蓄光塗料に関しては、太陽光や蛍光灯を吸収させ、暗闇で発光を確かめるわけであるが、メーカーにより成果が異なるものの、よく識別出来る成果が得られた。
蛍光塗料はメーカーにより成果がまちまちであり、識別出来るものもあるが全く光らないものもあった。反射塗料に関しては、発光することなく、いい成果は得られなかった。
【００１９】
本発明は、溝３を生じさせた木塊１に、くりぬき部２の底辺において樹皮側に向かって植木鉢としての強度を保てる厚みを残しくりぬき拡大部４を作成する。
【００２０】
本発明は、このくりぬき部２に水分を与え、溝部３を閉じた状態で、くりぬき部以外のすべての外周を樹脂加工する。とくに両木口面での樹脂加工は充分にする必要がある。くりぬき部と溝部における樹脂加工についての順序については、特にこだわらない。
【００２１】
本発明は、自然木の樹種についても実験の繰り返しを試みた。松属に関しては、くりぬき部のみで溝部の発光現象を起こすことが出来るが、雑木類についてはくりぬき部のみでは水分移動が困難であるため、拡大くりぬき部４が必要となる。針葉樹のその他の樹種例えば杉、ヒノキでは両者の中間であった。
【００２２】
本発明は、栽培する植物についても実験を繰り返した。栽培用土の水分の増減に耐えられる植物が求められるため、観葉植物、多肉植物のうち人気のあるものを選定した。
【産業上の利用可能性】
【００２３】
本発明は、日本の木材資源を園芸部門における室内鑑賞用植木鉢としての需要をはかるものである。現在植木鉢の素材として、プラスティック,陶器等が主流を占めるなか、自然木を素材とした植木鉢を植物愛好家に認めてもらい、家庭に木材の良さを知ってもらうというものである。さらに排水口が無くて受け皿の必要のない木製植木鉢を提供するものである
【図面の簡単な説明】
【００２４】
【図１】本発明にかかる発光の概観図である。
【図２】本発明にかかる発光鉢の概観図である。
【図３】本発明の拡大くりぬき部にかかる発光鉢の概観図である。
【符号の説明】
【００２５】
１  木塊
２  くりぬき部
３  溝部
４  拡大くりぬき部
【図１】
2008220190.tif 000003
【図２】
2008220190.tif 000004
【図３】
2008220190.tif 000005